(57)【要約】【課題】衣類等を回転ドラム内に収納して乾燥させるドラム式衣類乾燥機において、より乾燥効率を良くして電気代を節約させ、かつ静かなドラム式衣類乾燥機を提供する。【解決手段】衣類等を回転ドラム内に収納して乾燥させるドラム式衣類乾燥機において、前記回転ドラム外周面に対向する前記乾燥機外箱ケース内側に、前記回転ドラムを直接加熱するための加熱装置を備えたことを特徴とするドラム式衣類乾燥機で、前記加熱装置としてマイクロ波加熱装置、電磁誘導加熱装置、赤外線加熱装置等の非接触式加熱装置を備えている。【選択図】　図１
2004135998.tif 000002
【特許請求の範囲】
【請求項１】
衣類等を回転ドラム内に収納して乾燥させるドラム式衣類乾燥機において、
前記回転ドラム外周面に対向する前記乾燥機外箱ケース内側には、前記回転ドラムを直接加熱するための加熱装置を備えたことを特徴とするドラム式衣類乾燥機
【請求項２】
衣類等を回転ドラム内に収納して乾燥させるドラム式衣類乾燥機において、
前記回転ドラム外周面に対向する前記乾燥機外箱ケース内側に、前記回転ドラムを直接加熱するためのマイクロ波加熱装置、電磁誘導加熱装置、赤外線加熱装置等の非接触式加熱装置を備えたことを特徴とするドラム式衣類乾燥機
【請求項３】
前記回転ドラムにフッ素コーティング等の耐熱性被覆部材を設けたことを特徴とする請求項１または２記載のドラム式衣類乾燥機
【請求項４】
前記回転ドラムにマイクロ波吸収発熱体を設け、該発熱体を加熱するためにマイクロ波加熱装置を設けたことを特徴とする請求項１または３記載のドラム式衣類乾燥機
【請求項５】
前記乾燥機外箱内側に前記回転ドラムを囲むように枠体を設け、
前記回転ドラム外周面又は前記枠体内面に略平面又は略球面形状の突起部を設けたことを特徴とする請求項１乃至４記載のドラム式衣類乾燥機
【発明の詳細な説明】
【０００１】
【発明の属する技術分野】
この発明は衣類乾燥機に関するもので、より詳しくは回転ドラムを加熱装置により直接加熱させるようにしたドラム式衣類乾燥機に関するものである。
【０００２】
【従来の技術】
従来の衣類乾燥機は、ファン等の送風手段により外気より取り込んだ空気をヒータにて加熱し、乾燥した温風を作り、ダクト等を用いてその温風を回転するドラム内に送り込み、ドラム内に収納した衣類を乾燥させる方式のものが提案されている。
またその改良品として、乾燥時のドラム回転に伴う衣類の傷みを少なくし、外気をそのまま使用した自然乾燥のみを行うことにより乾燥時間を長くして夜間等に使用することにより電気代を節約させる自然乾燥と低温乾燥を併用したドラム式衣類乾燥機が提案されている。（例えば、特許文献１参照。）
【０００３】
【特許文献１】
特開平５−１３１０９２号公報（第２−３頁、第１図）
【０００４】
【発明が解決しようとする課題】
しかしながら前記改良案についても静粛な夜間での使用に対して、外気を送風するファンの振動音や排気音が発生するため、静かで、かつ乾燥効率の良い衣類乾燥機が望まれている。
本発明はそのような要望を満足させるために、静かで乾燥効率の良い衣類乾燥機を提供することにある。
【０００５】
【発明が解決するための手段】
本発明は前記課題を解決するためになされたもので、
請求項１の発明は、衣類等を回転ドラム内に収納して乾燥させるドラム式衣類乾燥機において、前記回転ドラム外周面に対向する前記乾燥機外箱ケース内側に前記回転ドラムを直接加熱するための加熱装置を備えたことを特徴とするドラム式衣類乾燥機である。
【０００６】
請求項２の発明は、衣類等を回転ドラム内に収納して乾燥させるドラム式衣類乾燥機において、前記回転ドラム外周面に対向する前記乾燥機外箱ケース内側に前記回転ドラムを直接加熱するためのマイクロ波加熱装置、電磁誘導加熱装置、赤外線加熱装置等の非接触式加熱装置を備えたことを特徴とするドラム式衣類乾燥機である。
【０００７】
請求項３の発明は前記回転ドラムにフッ素コーティング等の耐熱性被覆部材を設けたドラム式衣類乾燥機である。
【０００８】
請求項４の発明は前記回転ドラムにマイクロ波吸収発熱体を設けたドラム式衣類乾燥機である。
【０００９】
請求項５の発明は前記回転ドラムを囲むように前記乾燥機外箱ケース内側に枠体を設け、前記回転ドラム外周面又は前記枠体内面に略平面又は略球面形状の突起部を設けたドラム式衣類乾燥機である。
【００１０】
【作用】
本発明は回転するドラム３を直接加熱するようにしたもので、これにより温熱の損失を少なくでき、乾燥効率を良くすることができる。
【００１１】
ドラム３を直接加熱する加熱装置としてマイクロ波加熱装置、電磁誘導加熱装置、赤外線加熱装置等の非接触式加熱装置を用いることにより非接触状態でドラム３を直接加熱することができ、乾燥機外箱ケース内での加熱装置の取付場所を自由に選ぶことができる。
またドラム３への接続作業等の組立作業時間も不要にできる。
【００１２】
請求項３の発明によりドラム３内面にコーティング等の公知手段を用いてフッ素等の耐熱性被覆部材を形成させことにより、ドラムの加熱による衣類等の付着やドラムとの摺動による衣類等の傷みを防ぐことができる。
【００１３】
請求項４の発明によりドラム３の周面の内外面にマイクロ波を吸収して発熱する発熱体を塗布、コーティング又は接着させたりして設けることにより、ドラム３をより効率良く加熱することができ、より省エネを図ることができる。
【００１４】
請求項５の発明によりドラム３の外周面３ｄ又は中枠４の内面４ｃに略平面又は略球面形状の突起部３０を設け、ドラム３回動時にドラム３の外周面３ｄと中枠４の内面４ｃとの空間１０の空気を前記突起部３０によりドラム３の孔３ａからドラム３内部へ送出する或いはドラム３内部の空気をドラム３の孔３ａから空間１０へ排出させるようにしてドラム３の回動によってより大きな空気の流れを発生させるようにしたもので、
これによりドラム３の回動のみで衣類を乾燥させるための送風を行うことができ、送風ファン用モータを不要にすることができる。
【００１５】
また、乾燥だけでなく洗濯を兼用したドラム式洗濯乾燥機タイプのものに適用することにより、ドラム加熱により洗浄水を暖め温水を作ることができるため、洗濯時の洗浄効果を上げることができる。
またすすぎ時にもドラム加熱により作成した温水を用いることにより、脱水後の乾燥時間を短くさせることもできる。
【００１６】
【発明の実施の形態】
本発明の実施例について図１、図２を用いて説明する。
１は本発明の乾燥機であり、略直方体形状の樹脂又は金属からなる外箱２の内部には略円筒形状の樹脂又は金属からなる中枠４が固定されており、中枠４の内側に多数の孔３ａを穿孔した金属又は耐熱性樹脂からなる略円筒形のドラム３が設けられている。
【００１７】
ドラム３の開口部３ｂが外箱２の開口部２ａに設けられている衣類挿入部２ｃにより回転可能に支持され、開口部３ｂと反対側面３ｃが中枠４の軸受部４ａにより回転可能に支持されており、
中枠４の軸受部４ａを貫装している回転軸７とドラム３の側面３ｃが嵌合されて、外箱２に固定されているモータ８の回動をベルト６、回転軸７を介してドラム３に伝達させ、ドラム３を回転させる構造になっている。
【００１８】
中枠４の下部にはドレインコック２０が設けられおり、中枠４内に溜まった水分を排出できるようになっている。
【００１９】
また、外箱２の衣類挿入部２ｃ、中枠４の軸受面４ｂ及び外箱２外部とをダクト５にてバルブ２１を介して連結しており、ドラム３の回動によって発生する空気の流れを導くようにしている。
また、ドラム３の回動によってより大きな空気の流れを発生させるために、図２に示すようにドラム３の外周面３ｄに略曲面形状の突起部３０を設け、ドラム３回動時にドラム３の外周面３ｄと中枠４の内面４ｃとの空間１０部分の空気を突起部３０によりドラム３の孔３ａよりドラム３内部へ送出する或いはドラム３内部の空気をドラム３の孔３ａより空間１０へ排出させるようにしたものである。
【００２０】
なお、突起部３０はドラム３の外周面３ｄに対向する中枠４の内面４ｃに設けても良く、突起部３０の形状、数及び場所は本目的を達成できる形状であれば本実施例に限定されるものではない。
【００２１】
ダクト５の一部に、湿潤している空気を結露により水分を除去させて乾燥した空気にする冷却装置を設けてもよく、この場合、発生した水分はドレインコック２０に導いて外部へさせることができる。
【００２２】
外箱２の内側にはまた、ドラム３を加熱させるための加熱装置１１が外箱２又は中枠４に止着されている。
加熱装置１１の取付場所、数等は本実施例に限定されることはなく、側面、底面等でもよく、１箇所又は複数箇所に設けても良い。
【００２３】
ドラム３を加熱する加熱装置１１としては、マイクロ波加熱、電磁誘導加熱、赤外線加熱などの非接触式加熱手段を使用することができる。
マイクロ波加熱装置としては、４ＭＨｚから５ＧＨｚの周波数を発生するマグネトロンを乾燥機外箱の内壁面に設けて、ドラム３に対して照射を行い、ドラム３を加熱させるもので、公知のマイクロ波発生装置を利用することができる。
また、ドラム３内部の湿っている衣類等にもマイクロ波を当てるようにして、衣類等が含有している水分を直接暖めることもできる。
【００２４】
また、ドラム３にマイクロ波吸収発熱体を具備させることもでき、より効率的にドラム３を加熱させることができる。
使用するマイクロ波吸収発熱体としては、酸化物や金属などからなる公知のマイクロ波吸収発熱体、電磁波吸収発熱体（フェライト、カーボン、誘電材）を例示することができ、シート状、粉体状、液体状などからなるマイクロ波吸収発熱体を、接着、塗布、コーティングなどの公知手段によりドラム３内外周面の全部又は必要な部分に設ける。
【００２５】
また、ドラム３内面にはフッ素等の耐熱性被覆部材を塗布、コーティングなどの公知手段により付着させたりして設ける。
これにより、加熱されたドラム３への衣類等の付着防止、ドラム３と衣類等との滑りを良くして回転により衣類等の傷み防止ができ、乾燥効率をより高めることができる。
【００２６】
また電磁誘導加熱装置としては渦電流損を利用してドラム３を加熱させるもので、高周波電流発生源など公知の技術を利用することができる。
赤外線加熱装置としては赤外線灯を配置することにより回転するドラム３を加熱させるもので、赤外線灯などの公知の赤外照射源を利用することができる。
【００２７】
衣類等の乾燥方法について説明する。
外箱２の開口部２ａに設けられている蓋９を開放して、ドラム３の開口部３ｂより衣類等を投入し、蓋９を閉める。
外箱２の前面２ｂに設けられている図示されていないパネルスイッチを操作すると、モータ８が回動し、ベルト６を介して回転軸７に連結されているドラム３を回転させる。
【００２８】
また、加熱装置１１を動作させてドラム３を加熱し、ドラム３の加熱温度を４０℃から６０℃の間に制御する。
なお、より好ましいドラム３の加熱温度は４５℃前後の温度である。
【００２９】
ドラム３の温度制御手段としては、非接触式の温度センサ等の公知技術を使用することにより加熱装置の出力をマイコン等を使用した図示されていない制御装置により制御させる。
さらにドレインコック２０、バルブ２１及びモータ８の制御も前記制御装置にて行うこともでき、ドレインコック２０、バルブ２１の開閉や、ドラム３を正方向、逆方向へ交互に回転させたり、回転速度を速くしたり、遅くしたりさせることなどもできる。
【００３０】
なお本願発明で言う衣類等は、衣類のほか、毛布、シーツ、タオル、カバー等を含む。
【００３１】
本発明はドラム式洗濯乾燥機に適用することもできる。
ドラム式洗濯乾燥機に適用することにより、回転するドラムの加熱により洗浄水を暖め温水を作ることができるため、洗浄時の洗浄効果をより高めることができる。
またすすぎ時にもドラムの加熱により作成した温水を用いることにより、脱水後の乾燥時間を短くさせることもできる。
【００３２】
【発明の効果】
回転するドラム３を直接加熱するため、効率良く衣類を乾燥させることができる。
送風用ファンモータを設ける必要が無く、騒音を静かにできる。
マイクロ波吸収発熱体を設けることにより、ドラム３を効率良く加熱することができる。
ドラム３にフッ素等の耐熱性被覆部材を設けることにより、衣類等のドラム３への不必要な付着が防止され、また衣類等のドラム３との摺動による傷みを防ぐことができる。
【図面の簡単な説明】
【図１】本発明の実施例を示す断面図である。
【図２】突起部３０の説明図である。
【符号の説明】
１　　衣類乾燥機
２　　外箱
３　　ドラム
４　　中枠
５　　ダクト
９　　蓋
１１　加熱装置
【図１】
2004135998.tif 000003
【図２】
2004135998.tif 000004
【手続補正書】
【提出日】平成14年10月22日(2002.10.22)
【手続補正１】
【補正対象書類名】明細書
【補正対象項目名】００３０
【補正方法】変更
【補正の内容】
【００３０】
衣類等は回転するドラム３内において、その回転に伴って加熱されたドラム３内周面のあちらこちらに接触を繰り返しながら促進乾燥される。
なお本願発明で言う衣類等は、衣類のほか、毛布、シーツ、タオル、カバー等を含む。


【手続補正２】
【補正対象書類名】明細書
【補正対象項目名】００３２
【補正方法】変更
【補正の内容】
【００３２】
回転するドラム３を直接加熱するため、効率良く衣類を乾燥させることができる。つまり、衣類等はドラム３の回転に伴って加熱されたドラム３内周面のあちらこちらに接触を繰り返しながら促進乾燥されるため、効率良く衣類等は乾燥される。
送風用ファンモータを設ける必要が無く、騒音を静かにできる。
マイクロ波吸収発熱体を設けることにより、ドラム３を効率良く加熱することができる。
ドラム３にフッ素等の耐熱性被覆部材を設けることにより、衣類等のドラム３への不必要な付着が防止され、また衣類等のドラム３との摺動による傷みを防ぐことができる。